(57)【要約】【課題】  土地の可能性を総合的技術や知識経験で引き出し、魅力的な新しい思想やデザインを取得でき、近隣は価値の高い住宅を提供するための設計図紙を提供する。【解決手段】  道路スペース部２１に面した角地スペース部２５は、第１の住宅スペース部３１の両側に第２の住宅スペース部３２と第３の住宅スペース部３３とを有している。第１の住宅スペース部３１の第１の駐車スペース部４１に通じる所定の車幅以上の幅を持つ共用スペース部３９を有する。共用スペース部３９は、第１の住宅スペース部３１と、第２の住宅スペース部３２と、第３の住宅スペース部３３との道路スペース部２１に面した位置に設けられ、駐車スペース部４２、４３に通じている。【選択図】  図２
0003225737.tif 000002
【実用新案登録請求の範囲】
【請求項１】
第１の住宅スペース部の両側に第２の住宅スペース部と第３の住宅スペース部とを有し道路スペース部に面した角地スペース部において、
前記第１の住宅スペース部の第１の駐車スペース部に通じる所定の車幅以上の幅を持つ共用スペース部
を有し、
前記共用スペース部は、前記第１の住宅スペース部、前記第２の住宅スペース部及び前記第３の住宅スペース部内の前記道路スペース部に面した領域に設けられている
設計図紙。
【請求項２】
前記共用スペース部は、前記道路スペース部に面していない位置に、前記第１の住宅スペース部、前記第２の住宅スペース部及び前記第３の住宅スペース部に跨る円弧の外縁を有している
請求項１に記載の設計図紙。
【請求項３】
前記第１の住宅スペース部の前記道路スペース部との境界線は、前記所定の車幅以下である
請求項１又は請求項に記載の設計図紙。
【請求項４】
外道路スペース部に面した第１の中間スペース部と、前記外道路スペース部に面していない第１の駐車スペース部とを有する第１の住宅スペース部と、
外道路スペース部に面した第２の中間スペース部と、前記外道路スペース部に面していない第２の駐車スペース部とを有する第２の住宅スペース部と、
外道路スペース部に面した第３の中間スペース部と、前記外道路スペース部に面していない第３の駐車スペース部とを有する第３の住宅スペース部と、
前記第１の駐車スペース部、前記第２の駐車スペース部及び前記第３の駐車スペース部に面した第１の共用スペース部と、
前記外道路スペース部から前記第１の共用スペース部に通じる所定の車幅以上の幅を持つ直線状の第２の共用スペース部と
有し、
前記第２の共用スペース部は、前記第１の中間スペース部、前記第２の中間スペース部及び前記第３の中間スペース部で構成されている
設計図紙。
【請求項５】
前記第１の共用スペース部の前記第１の駐車スペース部、前記第２の駐車スペース部及び前記第３の駐車スペース部に面した外縁が円弧状である
請求項4に記載の設計図紙。
【請求項６】
第１の住宅スペース部の両側に第２の住宅スペース部と第３の住宅スペース部とを有し道路スペース部に面した角地スペース部を規定する情報を入力する第１の入力手段と、
前記第１の住宅スペース部の第１の駐車スペース部に通じる所定の車幅以上の幅を持つ共用スペース部を規定する情報を入力する第２の入力手段と、
前記第１の入力手段及び前記第２の入力手段で入力された情報を基に、前記第１の住宅スペース部、前記第２の住宅スペース部及び前記第３の住宅スペース部内の前記道路スペース部に面した領域に前記共用スペース部を有する設計図紙を生成する設計図紙生成手段と
を筐体内に設けた設計図紙生成装置。
【考案の詳細な説明】
【技術分野】
【０００１】
本考案は、魅力的且つ高価値な住宅を提供するための設計図紙及びその生成装置に関する。
【背景技術】
【０００２】
土地保有者が土地を売却するときに不動産業者を一般的に選ぶ。不動産業者は仲介業者として購入者を探すが、本来不動産業者の仕事として、その資産の可能性も引き出すことが重要である。しかしながら、実際はできていない。
そこで、査定としては最近の売買事例等で金額を決め、不動産業者は、提携するデベロッパー等に話を持っていくのが一般的である。
【考案の開示】
【考案が解決しようとする課題】
【０００３】
しかしながら、従来は、土地形成の矛盾、つまりは不動産業者が土地を仲介し、測量事務所が四角い土地での区割り計画をし、それをベースにデベロッパーが事業計画を立て、その土地の購入金額を出し、購入後建築計画に入っていく。しかしながら、そのフローが、縦割りで、創造性乏しく魅力的なものづくりのプロセスとであるとはいえない。
【０００４】
従来では、例えば、図１に示すように角地は、駐車スペース部を確保するために、道路（接道）に駐車スペース部の幅（２．５ｍ）以上を持たせるようにしか、土地の区分けができなかった。
また、優れたデザインとは言えず、魅力的な価値が高い住宅として売り出すことが難しいという問題がある。
【０００５】
本考案は、土地の可能性を総合的技術や知識経験で引き出し、魅力的な新しい思想やデザインを提供でき、価値の高い住宅を提供するための設計図紙及びその生成装置を提供する。
【課題を解決するための手段】
【０００６】
上述した従来技術の問題点を解決し、上述した目的を達成するため、本考案の第１の観点の設計図紙は、第１の住宅スペース部の両側に第２の住宅スペース部と第３の住宅スペース部とを有し道路スペース部に面した角地スペース部において、前記第１の住宅スペース部の第１の駐車スペース部に通じる所定の車幅以上の幅を持つ共用スペース部を有し、前記共用スペース部は、前記第１の住宅スペース部、前記第２の住宅スペース部及び前記第３の住宅スペース部内の前記道路スペースに面した領域に設けられている。
【０００７】
好適には、前記共用スペース部は、前記道路スペース部に面していない位置に、前記第１の住宅スペース部、前記第２の住宅スペース部及び前記第３の住宅スペース部に跨る円弧の外縁を有している。
【０００８】
好適には、前記第１の住宅スペース部の前記道路スペース部との境界線は、前記所定の車幅以下である。
【０００９】
第２の観点の設計図は、外道路スペース部に面した第１の中間スペース部と、前記外道路スペース部に面していない第１の駐車スペース部とを有する第１の住宅スペース部と、前記外道路スペース部に面した第２の中間スペース部と、前記外道路スペース部に面していない第２の駐車スペース部とを有する第２の住宅スペース部と、前記外道路スペース部に面した第３の中間スペース部と、前記外道路スペース部に面していない第３の駐車スペース部とを有する第３の住宅スペース部と、前記第１の駐車スペース部、前記第２の駐車スペース部及び前記第３の駐車スペース部に面した第１の共用スペース部と、前記外道路スペース部から前記第１の共用スペース部に通じる所定の車幅以上の幅を持つ直線状の第２の共用スペース部と有し、前記第２の共用スペース部は、前記第１の中間スペース部、前記第２の中間スペース部及び前記第３の中間スペース部で構成されている。
【００１０】
好適には、前記第１の共用スペース部の前記第１の駐車スペース部、前記第２の駐車スペース部及び前記第３の駐車スペース部に面した外縁が円弧状である。
【００１１】
設計図生成装置は、第１の住宅スペース部の両側に第２の住宅スペース部と第３の住宅スペース部とを有し道路スペース部に面した角地スペース部を規定する情報を入力する第１の入力手段と、前記第１の住宅スペース部の第１の駐車スペース部に通じる所定の車幅以上の幅を持つ共用スペース部を規定する情報を入力する第２の入力手段と、前記第１の入力手段及び前記第２の入力手段で入力された情報を基に、前記第１の住宅スペース部、前記第２の住宅スペース部及び前記第３の住宅スペース部内の前記道路スペースに面した領域に前記共用スペース部を有する設計図紙を生成する設計図紙生成手段とを筐体内に設けている。
【考案の効果】
【００１２】
本考案によれば、土地の可能性を総合的技術や知識経験で引き出し、魅力的な新しい思想やデザインを取得でき、近隣は価値の高い住宅を提供するための設計図紙及びその生成装置を提供することができる。
【図面の簡単な説明】
【００１３】
【図１】図１は、従来の設計図紙を説明するための図である。
【図２】図２は、本考案の第１実施形態に係わる設計図を説明するための図である。
【図３】図３は、本考案の第２実施形態に係わる設計図を説明するための図である。
【図４】図４は、本考案の第２実施形態の第１の変形例に係わる設計図を説明するための図である。
【図５】図５は、本考案の第２実施形態の第２の変形例に係わる設計図を説明するための図である。
【図６】図６は、本考案の第２実施形態の第３の変形例に係わる設計図を説明するための図である。
【図７】図７は、本考案の実施形態に係る設計図紙生成装置の構成図である。
【図８】図８は、開発資産価値を上げる中間の流れの一例を示す図である。
【考案を実施するための最良の形態】
【００１４】
以下、本考案の実施形態に係る設計図紙及びその生成装置を、図面を参照しながら説明する。
従来は土地区割りの後に建築計画する手順であるが、本実施形態では、建築配棟計画や街並みの全体像をとらえた後に、土地の区割りを考えていく新しい土地利用計画の手法である。
【００１５】
その効果としては、建築的知識と環境的知識が先行した計画になるので、スペースをうまく使ったり、環境豊かで魅力的な街並み環境が作れたり、用途に合わせた斜線等の建築条件も初期に考えることができ（従来は区画が先で、そこに建築を入れていく）。そのため、棟数が変わらないのに、広く見えたり、リズムが誕生したり、境界がポイントだけになるなど街並みの資産の向上が期待でいる。
【００１６】
これに対して、本実施形態では、角地の隣接する３つの住宅スペース部に共用スペースを設けることで、角地の区分けに上述したような制約を不要とした。土地の形としては土地販売だけでは難しいが、組み合わさると魅力的な物件となる。さらには、駐車はすべて接道があるのでストレスがない駐車が可能である。
また、３宅地の区分が一体化で広く、敷延がわかりにくい。敷延がむしろ魅力的に変わる。
【００１７】
＜第１実施形態＞
図２は、本考案の第１実施形態に係る設計図紙の構成図である。
図２に示すように、本実施形態の設計図紙１１には、略９０度に屈曲した道路スペース部２１に面した土地が描画されている。
設計図紙１１には、屈曲した道路スペース部２１に面した角地に設けられた３件の住宅スペース部が描画されている。
【００１８】
図２に示すように、道路スペース部２１に面した角地スペース部２５は、第１の住宅スペース部３１の両側に第２の住宅スペース部３２と第３の住宅スペース部３３とを有している。
【００１９】
角地スペース部２５は、第１の住宅スペース部３１の第１の駐車スペース部４１に通じる所定の車幅（例えば約２ｍ）以上の幅を持つ共用スペース部３９を有する。
共用スペース部３９は、第１の住宅スペース部３１と、第２の住宅スペース部３２と、第３の住宅スペース部３３との道路スペース部２１に面した位置に設けられている。
共用スペース部３９は、第２の住宅スペース部３２内の駐車スペース部４２に通じている。
共用スペース部３９は、第３の住宅スペース部３３内の駐車スペース部４３に通じている。
【００２０】
共用スペース部３９は、道路スペース部２１に面していない位置に、第１の住宅スペース部３１、第２の住宅スペース部３２及び第３の住宅スペース部３３に跨る円弧の外縁３９ａを有している
【００２１】
本実施形態では、第１の住宅スペース部３１、第２の住宅スペース部３２及び第３の住宅スペース部３３は、それぞれの所有者の所有であるが、それらスペース部のうち共用スペース部３９については全ての所有者で共用する旨が契約で定められている。
【００２２】
第１の住宅スペース部３１の道路スペース部２１との境界線は、所定の車幅以下である。
【００２３】
本実施形態では、図２に示すように共用スペース部３９を設けたことで、図１の場合に比べて、外側からみ外観がよくなり、デザイン性に優れた魅力的な住宅を提供できる。これにより、魅力的な価値が高い住宅として売り出すことができる。
【００２４】
＜第２実施形態＞
図３は、本考案の第２実施形態に係る設計図紙の構成図である。
図３に示すように、本実施形態の設計図紙１０１には、外道路スペースに面して２つの住宅スペース部があり、その奥に、外道路スペース部に面していない３つの住宅スペース部が描画されている。
【００２５】
設計図紙１０１は、例えば、第１の住宅スペース部１３１、第２の住宅スペース部１３２、第３の住宅スペース部１３３、第４の住宅スペース部１３４、第５の住宅スペース部１３５を有する矩形の土地１０２が描画されている。
【００２６】
第４の住宅スペース部１３４及び第５の住宅スペース部１３５は、外道路スペース部１２３に面している。
第１の住宅スペース部１３１、第２の住宅スペース部１３２及び第３の住宅スペース部１３３は、外道路スペース部１２３に面していない。
【００２７】
第１の住宅スペース部１３１は、第１の駐車スペース部１４１、第１の家屋スペース部１５１及び第１の中間スペース部１６１を有する。
第２の住宅スペース部１３２は、第２の駐車スペース部１４２、第２の家屋スペース部１５２及び第２の中間スペース部１６２を有する。
第３の住宅スペース部１３３は、第３の駐車スペース部１４３、第３の家屋スペース部１５３及び第３の中間スペース部１６３を有する。
第４の住宅スペース部１３４は、第４の駐車スペース部１４４及び第４の家屋スペース部１５４を有する。
第５の住宅スペース部１３５は、第５の駐車スペース部１４５及び第５の家屋スペース部１５５を有する。
【００２８】
設計図紙１０１は、第１の駐車スペース部１４１、第２の駐車スペース部１４２及び第３の駐車スペース部１４３に面した第１の共用スペース部１３９を描いている。
また、設計図紙１０１は、第１の中間スペース部１６１、第２の中間スペース部１６２及び第３の中間スペース部１６３で構成され、外道路スペース部１２３から第１の共用スペース部１３９に通じる第２の共用スペース部２３９を描いている。
【００２９】
第１の共用スペース部１３９は、車が回転可能な直径を有している。
第１の共用スペース部１３９の第１の駐車スペース部１４１、第２の駐車スペース部１４２及び第３の駐車スペース部１４３に面した外縁が円弧状である。
第２の共用スペース部２３９は、所定の車幅以上（６ｍ以上）の幅を持つ直線状をしている。
【００３０】
第４の駐車スペース部１４４及び第５の駐車スペース部１４５は、第１の共用スペース部１３９に面している。
【００３１】
本実施形態では、第１の住宅スペース部１３１、第２の住宅スペース部１３２、第３の住宅スペース部１３３、第４の住宅スペース部１３４及び第５の住宅スペース部１３５は、それぞれの所有者の所有であるが、それらスペース部のうち第１の共用スペース部１３９及び第２の共用スペース部２３９については全ての所有者で共用する旨が契約で定められている。
【００３２】
本実施形態では、図３に示すように共用スペース部１３９，２３９を設けたことで、これを設けない場合に比べて、外側からの観がよくなり、デザイン性に優れた魅力的な住宅を提供できる。これにより、魅力的な価値が高い住宅として売り出すことができる。
また、このような共用スペース部を設けたことで、設けない場合に比べて、駐車スペース部及び家屋スペース部を広くとることができる。
【００３３】
＜第２実施形態の変形例＞
図４は、本考案の第２実施形態の第１の変形例に係る設計図紙の構成図である。
図４に示すように、設計図紙２０１は、例えば、第１〜６の住宅スペース部２３１〜２３６を有する矩形の土地２０２が描画されている。
【００３４】
また、設計図紙２０１には、車が回転可能な第１の共用スペース部３３９と、車が両側通行可能な直線状の第２の共用スペース部４３９とが描かれている。
【００３５】
第２の共用スペース部４３９には、外道路スペース部２２３からの電線を支持する４本の電柱部２６１が描かれている。
電柱部２６１からの電線は、第４及び第５の住宅スペース部２３４、２３５の家屋に配電される。
また、電柱部２６１から電線が、第２の共用スペース部４３９及び第３の住宅スペース部３３の地中に導出され、地中を通って第１、第２、第３及び第６の住宅スペース部２３１、２３２、２３３、２３６の家屋に通電されている。
【００３６】
本変形例においては、電柱部２６１から内側の領域では、私有地のため電柱を建てなくても建築基準を満たすことができ、地下に電線を入れて配電できる。そのため、美感に優れた住宅を提供できる。
【００３７】
図５は、本考案の第２実施形態の第２の変形例に係わる設計図を説明するための図である。図５に示すように、第２の共用スペース部２３９を曲線で形成してもよい。
図６は、本考案の第２実施形態の第３の変形例に係わる設計図を説明するための図である。図6に示すように、広大な土地に適用してもよい。
【００３８】
上述した設計図紙は、以下のように生成される。
図７は、本考案の実施形態に係る設計図紙生成装置３００１の構成図である。
図７に示すように、設計図紙生成装置３００１は、第１の入力手段３００３、第２の入力手段３００５及び設計図面生成手段３００７
を有し、これらが同じ筐体内に収容されている。
【００３９】
第１の入力手段３００３は、第１の住宅スペース部の両側に第２の住宅スペース部と第３の住宅スペース部とを有し道路スペース部に面した角地スペース部を規定する情報を入力するために用いられる。
第２の入力手段３００５は、第１の住宅スペース部の第１の駐車スペース部に通じる所定の車幅以上の幅を持つ共用スペース部を規定する情報を入力ために用いられる。
【００４０】
設計図面生成手段３００７は、第１の入力手段３００３及び第２の入力手段３００５で入力された情報を基に、で入力された情報を基に、第１の住宅スペース部、第２の住宅スペース部及び第３の住宅スペース部内の道路スペースに面した領域に前記共用スペース部を有する設計図紙を生成する（例えば印刷）。
【００４１】
以上説明したように、本考案によれば、土地の可能性を総合的技術や知識経験で引き出し、魅力的な新しい思想やデザインを取得でき、近隣は価値の高い住宅を提供することができる。
【００４２】
本考案の実施形態に係る人工知能システムは、過去に区画整理された土地にどのように構造物が設計され建築されかの情報を用いる。
通常は、四角い土地を四角く区割りし、設計、建築される。この場合画一的にパタン化された構造になる。
【００４３】
現在までの作品をラーニング（学習）させ、パーツ毎に組み合わせた複数のパターンを出力する。
敷地内景観の選択である。例えば、ヨーロッパ風、インデアン風、森の中風、○○風等である。ラーニングシステムに景観の特徴を入力しパタン認識させる。
【００４４】
土地の資産価値を高め有効利用するものである。しかしながら、土地の有効活用したい開発事業者が土地の区画図を登録し、区画に関する複数の提案を出力し、公開し、会員登録された購入予定者へ通知を行う。
本実施形態では、購入予定者はパースの確認、動画、写真等を閲覧し、当該の事業者へ相談希望を通知する。
【００４５】
［ビジネス］
上述した仕組みをネット上で完結し、売主は謄本と公図と契約書（短期の専任契約）を提出し、すぐに条件を調べ可能性のあるデザインを3次元で表現し、当方全国の無料会員に対し入札参加の意思を確かめ、入札契約し、買主とも相談のうえ、売買契約をする企業を決める仕組みを提供できる。
また、その仕組みをフランチャイズのような仕組みで全国展開してもよい。
図８は、開発資産価値を上げる中間の流れの一例を示す図である。
【００４６】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
上述した実施形態おいて、住宅スペース部、駐車スペース部、外道路スペース部、共用スペース部等の形状は一例であり、本発明の範囲において任意に変更可能である。
【産業上の利用可能性】
【００４７】
本考案は、例えば、土地、角地、土地・住宅の設計システムに適用可能である。
【符号の説明】
【００４８】
１１、１０１、２０１…設計図紙
２１…道路スペース部
２５…角地スペース部
３１、１３１…第１の住宅スペース部
３２、１３２…第２の住宅スペース部
３３、１３３…第３の住宅スペース部
３９…共用スペース部
４１、１４１…第１の駐車スペース部
４２、１４２…第２の駐車スペース部
４３、１４３…第３の駐車スペース部
１３４…第４の住宅スペース部
１３５…第５の住宅スペース部
１３９…第１の共用スペース部
２３９…第２の共用スペース部
【図１】
0003225737.tif 000003
【図２】
0003225737.tif 000004
【図３】
0003225737.tif 000005
【図４】
0003225737.tif 000006
【図５】
0003225737.tif 000007
【図６】
0003225737.tif 000008
【図７】
0003225737.tif 000009
【図８】
0003225737.tif 000010
【手続補正書】
【提出日】令和2年1月27日(2020.1.27)
【手続補正１】
【補正対象書類名】実用新案登録請求の範囲
【補正対象項目名】全文
【補正方法】変更
【補正の内容】
【実用新案登録請求の範囲】
【請求項１】
第１の住宅スペース部の両側に第２の住宅スペース部と第３の住宅スペース部とを有し道路スペース部に面した角地スペース部において、
前記第１の住宅スペース部の第１の駐車スペース部に通じる所定の車幅以上の幅を持つ共用スペース部
を有し、
前記共用スペース部は、前記第１の住宅スペース部、前記第２の住宅スペース部及び前記第３の住宅スペース部内の前記道路スペース部に面した領域に設けられている
設計図紙。
【請求項２】
前記共用スペース部は、前記道路スペース部に面していない位置に、前記第１の住宅スペース部、前記第２の住宅スペース部及び前記第３の住宅スペース部に跨る円弧の外縁を有している
請求項１に記載の設計図紙。
【請求項３】
前記第１の住宅スペース部の前記道路スペース部との境界線は、前記所定の車幅以下である
請求項１又は請求項２に記載の設計図紙。
【請求項４】
外道路スペース部に面した第１の中間スペース部と、前記外道路スペース部に面していない第１の駐車スペース部とを有する第１の住宅スペース部と、
外道路スペース部に面した第２の中間スペース部と、前記外道路スペース部に面していない第２の駐車スペース部とを有する第２の住宅スペース部と、
外道路スペース部に面した第３の中間スペース部と、前記外道路スペース部に面していない第３の駐車スペース部とを有する第３の住宅スペース部と、
前記第１の駐車スペース部、前記第２の駐車スペース部及び前記第３の駐車スペース部に面した第１の共用スペース部と、
前記外道路スペース部から前記第１の共用スペース部に通じる所定の車幅以上の幅を持つ直線状の第２の共用スペース部と
有し、
前記第２の共用スペース部は、前記第１の中間スペース部、前記第２の中間スペース部及び前記第３の中間スペース部で構成され、前記第２の共用スペース部内で前記第２の中間スペース部は、前記第１の中間スペース部と前記第３の中間スペース部との間に位置している
設計図紙。
【請求項５】
前記第１の共用スペース部の前記第１の駐車スペース部、前記第２の駐車スペース部及び前記第３の駐車スペース部に面した外縁が円弧状である
請求項4に記載の設計図紙。
【手続補正３】
【補正対象書類名】明細書
【補正対象項目名】０００１
【補正方法】変更
【補正の内容】
【０００１】
本考案は、魅力的且つ高価値な住宅を提供するための設計図紙に関する。
【手続補正４】
【補正対象書類名】明細書
【補正対象項目名】０００５
【補正方法】変更
【補正の内容】
【０００５】
本考案は、土地の可能性を総合的技術や知識経験で引き出し、魅力的な新しい思想やデザインを提供でき、価値の高い住宅を提供するための設計図紙を提供する。
【手続補正５】
【補正対象書類名】明細書
【補正対象項目名】０００９
【補正方法】変更
【補正の内容】
【０００９】
第２の観点の設計図は、外道路スペース部に面した第１の中間スペース部と、前記外道路スペース部に面していない第１の駐車スペース部とを有する第１の住宅スペース部と、外道路スペース部に面した第２の中間スペース部と、前記外道路スペース部に面していない第２の駐車スペース部とを有する第２の住宅スペース部と、外道路スペース部に面した第３の中間スペース部と、前記外道路スペース部に面していない第３の駐車スペース部とを有する第３の住宅スペース部と、前記第１の駐車スペース部、前記第２の駐車スペース部及び前記第３の駐車スペース部に面した第１の共用スペース部と、前記外道路スペース部から前記第１の共用スペース部に通じる所定の車幅以上の幅を持つ直線状の第２の共用スペース部と有し、前記第２の共用スペース部は、前記第１の中間スペース部、前記第２の中間スペース部及び前記第３の中間スペース部で構成され、前記第２の共用スペース部内で前記第２の中間スペース部は、前記第１の中間スペース部と前記第３の中間スペース部との間に位置している。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本考案によれば、土地の可能性を総合的技術や知識経験で引き出し、魅力的な新しい思想やデザインを取得でき、近隣は価値の高い住宅を提供するための設計図紙を提供することができる。